(57)【要約】【課題】  １種類の使い捨ておむつで様々な体形の着用者にとってそれぞれ好適に用いることができ、また製造過程において止着テープの破損等の生じ難い、止着テープ及び使い捨ておむつ、並びにその製造方法を提供することを目的とする。【解決手段】  止着テープ１１は、使い捨ておむつの背側或いは腹側に舌状に取り付けられ、取付側１１ａとは反対側１１ｂに２つの雄側係合片（着用止着部）１３，２３が設けられたものである。雄側係合片１３，２３の間に、取付側方向に向かう２本の易切開線１５，２５が並行して形成され、且つこれらに連続して反対側１１ｂの端部１１ｅに先端切り込み１９，２９が形成されてものである。先端切り込み間部分１１ｆを摘んで引っ張ることで、容易に２本の易切開線１５，２５を同時に切り離すことができる。この切り離しにより雄側係合片１３，２３を別々に位置をずらして係着可能である。【選択図】      図４
2006247180.tif 000002
【特許請求の範囲】
【請求項１】
使い捨ておむつの背側或いは腹側に取り付けられ、該取付側とは反対側に、縦方向に分かれて独立した複数の止着部が設けられた止着テープにおいて、
前記複数の止着部の間に、前記取付側方向に向かう易切開線が少なくとも２本並行して形成されると共に、該易切開線に連続して前記反対側の端部に切り込みが形成されたものであり、
前記易切開線は、切り離しにより前記複数の止着部同士の拘束が緩和されるものであることを特徴とする止着テープ。
【請求項２】
前記少なくとも２本の易切開線で挟まれる領域に補強材が配置されたものである請求項１に記載の止着テープ。
【請求項３】
前記少なくとも２本の易切開線で挟まれる領域に、補助的な止着部を設けたものである請求項１または２に記載の止着テープ。
【請求項４】
前記易切開線が、破線状に切れ目が形成されたものである請求項１〜３のいずれかに記載の止着テープ。
【請求項５】
前記止着テープの基材が熱可塑性樹脂から構成されたものであって、
前記易切開線が、前記基材を加熱することによって実線状或いは破線状の脆弱化部分が形成されたものである請求項１〜３のいずれかに記載の止着テープ。
【請求項６】
請求項１〜５のいずれかに記載の止着テープが、おむつの背側或いは腹側に左右一対設けられたものであることを特徴とする使い捨ておむつ。
【請求項７】
請求項６に記載の使い捨ておむつを製造する方法において、
おむつ本体の製造ラインと前記止着テープの製造ラインを別ラインとし、
該止着テープ製造ラインで、請求項１〜５のいずれかに記載の止着テープを製造し、これを前記おむつ本体に取り付けることを特徴とする使い捨ておむつの製造方法。
【発明の詳細な説明】
【技術分野】
【０００１】
本発明は、使い捨ておむつを着用状態にする為に用いられる止着テープ、及びこの止着テープを用いた使い捨ておむつ、並びにこの使い捨ておむつの製造方法に関するものである。
【背景技術】
【０００２】
使い捨ておむつは、平板状のおむつ展開体から使用時に背側部の左右翼を腹側部に綴じ合わせて着用させる展開型おむつと、パンツの形状をしたパンツ型おむつに大別され、このうち展開型おむつは、着用者が寝た状態であっても、上記左右翼を外すことで容易におむつを交換できることから、乳児や、ベットや布団の上で座ることができない人等に好んで用いられている。
【０００３】
展開型おむつとしては、上記左右翼にそれぞれ止着テープを設け、該止着テープの肌側面に設けられた鈎型係合部材等（止着部）を、腹側部の反肌側面に形成されたループ型係合部材等（ターゲット部）に係合させて着用する構成のものが一般的であり、この際縦に幅広く係合させた方がぴったりと着用できることから、止着部を縦方向（身体高さ方向）に２つ並べて配置することが一般に行われている（従来例[1]）。
【０００４】
ところで着用者の体形として、一般に乳幼児の場合は概ねウエスト周りとヒップ周りのサイズにあまり差がないが、大人の場合にはウエスト周りとヒップ周りの差が大きく、またその差の程度も人によって様々である上、ウエスト，ヒップ周りに対する脚繰りサイズについてもその差が様々である為、上記の如く２つの止着部が縦方向に真っ直ぐ並んだ１タイプだけであると、上手く身体にフィットせずに隙間を作り、漏れを生じる場合がある。
【０００５】
そこで従来では上記２つの止着部の間に切り込みを形成し、これら止着部を別々に扱うことにより、隙間を生じない様に位置をずらしたりして腹側部に止める様にしたものが提案されている（例えば特許文献１参照）（従来例[2]）。
【特許文献１】特開２００４−５７５４１号公報（例えば特許請求の範囲、段落［００２２］）
【発明の開示】
【発明が解決しようとする課題】
【０００６】
上記の如く切り込みによって止着部毎に別々に扱う様にすれば、着用者個々のウエスト，ヒップ，脚繰り等のサイズに合う様に止着することができるものの、分離した個々の止着テープ部分が帯状に長いものとなる為、止着した状態（おむつ着用状態）において身体へのカバーリング性に欠け、着用安定感に乏しいものとなることがある。
【０００７】
とは言え、ウエスト，ヒップ周りに対する脚繰りサイズの差の大きい人等にとっては、隙間を生じさせずに着用できるという利点の方が優先され、従来例[2]は有用である。一方で、切り込みを必要としない体形の人も存在し、この場合には上記着用安定性の観点から切り込みのない従来例[1]のタイプの使い捨ておむつを使用する方が望ましい。
【０００８】
しかし介護施設や病院等の様に多数の患者に対しておむつを使用する場合には、個々の患者に適したおむつをそれぞれ準備することは煩雑な作業となることから、多数種準備することは避けられ、この為に上記切り込みを必要としない体形の人も、切り込みのある従来例[2]のタイプのおむつを使用することになってしまう。
【０００９】
他方、従来例[2]のタイプのおむつの製造過程について述べると、上記止着テープは長尺の原料反にテンションを掛けつつその長尺方向に流して製造されるものであるところ、製造流れ方向に対して直交する方向或いは斜め方向に切り込みが入るので、製造流れ方向のテンションを原料反に幅広く掛けることができず、切り込みのない小さな箇所のみに掛けることになり、この為に止着テープの破損を生じ易く、また切り込みの入った箇所に折れ曲がりを生じ易い上、おむつ本体に取り付ける際に取付箇所の位置決めが困難になったりする等の問題がある。
【００１０】
この問題に対して上記引用文献１では、止着テープに切り込みを入れる前の段階でおむつ本体に取り付け、その後切り込みを入れるという手順で解決を図っているが、この様におむつの各パーツを組み立てた後に加工を施す手法の場合は、製造ラインの長尺化を招くことになる。従ってそれぞれのパーツを完成品としてから（或いは極力完成品に近づけてから）組み立てる手法の方が望まれる。
【００１１】
そこで本発明の目的は、１種類の使い捨ておむつで様々な体形の着用者にとってそれぞれ好適に用いることができ、また製造過程において止着テープの破損や折れ曲がり等の生じ難い止着テープ及び使い捨ておむつ、並びにこの使い捨ておむつの製造方法を提供することにある。
【課題を解決するための手段】
【００１２】
本発明に係る止着テープは、使い捨ておむつの背側或いは腹側に取り付けられ、該取付側とは反対側に、縦方向に分かれて独立した複数の止着部（以下、着用止着部と称することがある）が設けられた止着テープであって、前記複数の止着部の間に、前記取付側方向に向かう易切開線が少なくとも２本並行して形成されると共に、該易切開線に連続して前記反対側の端部に切り込み（以下、先端切り込みと称することがある）が形成されたものであり、前記易切開線が、切り離しにより前記複数の止着部同士の拘束が緩和されるものであることを特徴とする。
【００１３】
また本発明に係る使い捨ておむつは、前記止着テープが、おむつの背側或いは腹側に左右一対設けられたものであることを特徴とする。
【００１４】
上記の様に本発明の止着テープ，使い捨ておむつでは、未使用状態の製品としては易切開線が切れておらず、必要に応じて使用者が切断できる様になっているから、切断の不要な体形の着用者においては易切開線を接続状態のままで使用することにより、着用安定感があり又隙間もなく着用でき、一方、切断の必要な着用者においては上記易切開線を切断することにより着用止着部同士の拘束が緩和され、個々の該着用止着部を別々に所望の位置で止着でき、よって隙間を形成せずに着用可能となる。
【００１５】
しかも本発明の止着テープ，使い捨ておむつは、下述の如く易切開線の切断操作が容易である。つまり易切開線が１本の場合は、切断にあたって一方の着用止着部側と他方の着用止着部側をそれぞれ掴んで、これらを互いの反対方向に引き離す操作が必要であり、着用操作が煩雑となる傾向にある。しかしこの点において本発明では、上記先端切り込みの間を摘んで引き剥がす様にするだけで、上記複数の易切開線が同時に切断されて上記複数の着用止着部同士の拘束が緩和されることとなる。例えば一旦易切開線を接続状態のままでおむつを着用し、体形によって隙間を生じる場合には、この着用状態のまま、即ち止着テープの着用止着部をおむつ本体から外すことなく、先端切り込みの間を摘んで引き剥がし、隙間の原因となっている着用止着部の方の付け直しをするという手順で着用操作を行うことができ、簡便である。
【００１６】
加えて、従来例[2]の様に止着テープが大きく切れている訳ではないので、止着テープの製造過程において、製造流れ方向のテンションを原料反に対して幅広い範囲（前記反対側の先端切り込みを除いた箇所から前記取付側まで幅広く）に掛けることが可能であり、従って原反を安定して走行させることができ、止着テープの折れ曲がりや破損を防止できる。またおむつ本体への取り付けにあたっても、上記の如く安定して平面形状を保ち得るから、取付箇所の位置決めが容易である。その結果、止着テープを完成品に近づけた段階（或いは完成品とした段階）でおむつ本体に取り付けることができ、製造ラインのコンパクト化を図ることができる。
【００１７】
つまり使い捨ておむつの製造方法として、おむつ本体の製造ラインと前記止着テープの製造ラインを別ラインとし、該止着テープ製造ラインで前記止着テープを製造し、これを前記おむつ本体に取り付けるという方法が採用できる。
【００１８】
上記易切開線の切断強度としては、手で容易に切断することができ、且つ製造時に掛けられるテンションに対しては破れずに抵抗し得る程度とするのが良い。
【００１９】
前記易切開線の態様としては、破線状に切れ目が形成されたものが挙げられる。この破線状切れ目（ミシン目）としては、切れ目が点状のものや、切れ目の長さが不均一なもの（例えば一点鎖線状に形成したもの）等も含まれる。
【００２０】
この破線状の切れ目の形成方法としては、例えば破断線状（ドット状）の刃を持つドラムカッターを用いて止着テープ基材を押し切りする手法や、ドット状に加熱することによって溶融切断する手法が挙げられる。これらの場合に、止着テープ基材の強度を勘案しつつ、上記刃の長さやピッチ（或いは加熱幅やピッチ）を調整することにより、易切開線の切断強度を適切なもの（手で容易に切断可能であり且つ製造時のテンションに抵抗し得る強度）とすることができる。
【００２１】
また他に前記易切開線の態様としては、前記止着テープの基材が熱可塑性樹脂から構成されたものであって、前記易切開線が、前記基材を加熱することによって実線状或いは破線状の脆弱化部分が形成されたものが挙げられる。この様に加熱によって基材を薄くする等により、手で破ることが可能な程度に脆弱化することができる。具体的にはヒートシール用の装置を適用して、基材の脆弱化を図ることができ、この際の加熱，加圧の程度を調整することにより、手で容易に切断可能であり且つ製造時のテンションに抵抗し得る強度を備えた易切開線とすると良い。
【００２２】
ところで上述の様に少なくとも２本の易切開線は着用止着部と着用止着部の間に形成されるものであることから、これら易切開線間の幅は狭いものとなり、この為に止着テープ基材の強度によっては、易切開線の後端（上記取付側方向の端）まで切断できずに途中で切れてしまう懸念がある。
【００２３】
そこで更に本発明においては、前記少なくとも２本の易切開線で挟まれる領域に補強材を配置したものとし、易切開線の間の部分が容易に破れない様にするのが好ましい。加えてこの様に補強材を配置することにより、易切開線の間の部分を使用者が認識し易くなるので、易切開線の切断操作にあたって上記先端切り込みの間（切断始めに摘む部分）が分かり易くなる。更に補強材に着色を施せば、補強材の有無を質感による差異だけでなく色調の差異としても認識できるので、一層分かり易くなる。
【００２４】
また前記少なくとも２本の易切開線で挟まれる領域に、補助的な止着部（以下、補助止着部と称することがある）を設けたものであることが好ましい。
【００２５】
この理由は、易切開線で切断して複数の着用止着部をそれぞれ別々に引っ張って止着する場合においては、その止着位置のずらし具合によっては、上記易切開線の切断根元あたり（上記取付側の辺り）に浮きを生じ、これが衣類と擦れる等して止着テープが剥がれる懸念がある。また易切開線を切断すると、易切開線の間の部分が尻尾様にひらつくことになる。しかし上記の如く補助止着部を設けたものであれば、上記浮きを押さえ、また上記尻尾様の易切開線間部分を止めることができ、従って引っ掛かって止着テープが剥がれる懸念が殆どなくなり、より一層おむつのフィット感を向上させることができると共に、外観もすっきりする。尤も上記易切開線間部分のひらつきの問題については、易切開線の後端に易切開線同士を架け渡す様に切離容易化線（易切開線と同様に破線状切れ目等によって切り離し易くした線状部）を形成し、易切開線間部分を切り取ることとしても良い。
【００２６】
加えて補助止着部の存在によって、上記補強材を配置した場合と同様に、易切開線の間部分の強度を向上させることができ、また易切開線間部分を使用者が認識し易くなる。
【発明の効果】
【００２７】
本発明に係る止着テープ、使い捨ておむつによれば、着用時に止着テープの易切開線を切断するか否かを選択できるので、多種類のおむつを準備せずとも様々な体形の着用者に対して、漏れの原因となる隙間を生じさせずに着用可能であると共に、各着用者にとって快適な着用感を実現できる。そしてこの様に１つの製品で様々な体形の着用者に良好に適用できるから、例えば病院や介護施設の様に多くの着用者を対象とする場合であっても、準備する使い捨ておむつの種類を少なくすることができ、作業が繁雑とならず、介護者の負担が軽減する。
【００２８】
加えて、使い捨ておむつの製造方法として、止着テープを完成品に近づけてからおむつ本体に組み込む手法を選択することが可能であるから、製造ラインのコンパクト化を図ることができる。
【発明を実施するための最良の形態】
【００２９】
＜実施形態１＞
図１は本発明の実施形態１に係る使い捨ておむつ１０を表す展開状態の平面図で、おむつの肌側面（肌に接する側の面）を手前側にして表している。また図２は図１に示すＸ−Ｘ線断面図である。図３はこの使い捨ておむつ１０を着用した形態を表す斜視図である。図４はこの使い捨ておむつ１０における止着テープ１１を表す肌面側からの平面図である。
【００３０】
使い捨ておむつ１０は、吸収体５１を挟んで液不透過性（或いは液不透過性透湿性）のバックシート５２と液透過性のトップシート５３が積層されたものであって、その外形は概ね長方形の長辺側の中央が窪んだ砂時計型をしている。この窪み部分が股部５４（Ｂ）となり、該股部５４に連なって広くなっている一方が背側部５５（Ｃ）で、他方が腹側部５６（Ａ）である。該おむつ１０においては、両側縁長手方向にトップシート５３に重ねてサイドシート５７が設けられており、中央側端部に立体用弾性糸条５８が配されて該サイドシート５７が肌に向かって立ち上がる様になっている。更に両側縁長手方向に脚回り用弾性糸条５９が配置されて脚繰りの股下位置のフィット性が向上され、胴回り方向にウエスト用弾性糸条６１が配置されてウエスト部分のフィット性が向上されたものとなっている。
【００３１】
使い捨ておむつ１０の腹側部５６の反肌側面（外側面）には雌側係合片１４が設けられ、また背側部５５の両翼片５５ａの先端の部分には、雄側係合片（着用止着部）１３，２３を備えた止着テープ１１が舌状にそれぞれ取り付けられている。そしてこの雄側係合片１３，２３を上記雌側係合片１４に係合することにより、図３に示す様に着用できる様になっている。尚上記雄側係合片１３，２３としては鉤型係合素子１３ａを植え付けた係合片やマッシュルーム型係合素子を植え付けた係合片等が挙げられ、雌側係合片１４としてはループ型係合片等が挙げられ、これら雄側係合片と雌側係合片で一対の面ファスナーを構成している。また使用前のおむつ製品では、雄側係合片１３，２３が他の衣類等に引っ掛からない様にする為、図１，２に示す様に雄側係合片１３，２３を内側にして止着テープ１１が折畳まれている。
【００３２】
上記止着テープ１１について更に詳しく述べると、止着テープ１１における上記２つの雄側係合片（着用止着部）１３，２３は、上記翼片５５ａへの取付側１１ａとは反対側１１ｂに、縦方向（身体高さ方向）に分かれて独立する様に並んで設けられたものであって、止着テープ基材１２の肌側面に接着剤１６によって取り付けられている。
【００３３】
そしてこれら雄側係合片１３，２３の間の位置には、止着テープ取付側１１ａとは反対側１１ｂの端縁１１ｅよりも少し内側の位置から取付側１１ａ方向に向かって、２本の実線状の易切開線１５，２５が並行して形成されると共に、この易切開線１５，２５に連続して端縁１１ｅに向かう先端切り込み１９，２９が形成されている（図４）。上記易切開線１５，２５は、熱可塑性樹脂製の止着テープ基材１２を加熱，加圧することにより厚みを薄くして脆弱化を図ったものである（図２）。
【００３４】
尚止着テープ基材１２としては不織布が挙げられ、なかでも、スパンボンド法、エアースルー法、ポイントボンド法、メルトブロー法およびエアレイド法のうち一つまたは複数の製法の組合せによって製造される不織布が好ましい。さらに、秤量が30〜100g/m2で、スパンボンド法もしくはメルトブロー法とを組み合わせたＳＭＳ法により製造された不織布がより好ましく、このものは柔軟で且つ形状が安定していて摘み易く、良好な強度を発揮するからである。より一層好ましいのは、秤量50〜85g/m2で、スパンボンド法により製造された不織布である。また素材としては、ポリプロピレン、ポリエチレン、ポリエステル、ポリアミド等の合成繊維、パルプ、絹等の天然繊維から適宜選択すると良く、好ましくはポリプロピレン、ポリエチレン、ポリエステルといった合成繊維であり、なかでもポリプロピレン、ポリエステル繊維を主成分としたものは強度に優れ、好適である。最も好ましいのは、ポリエステル繊維である。尤も止着テープ基材１２としては上記不織布に限らず、織布、編布、プラスチック製シート等であっても良い。
【００３５】
実施形態１の使い捨ておむつ１０の着用操作の一例について述べると、先ず止着テープ１１の易切開線１５，２５を接続状態のままで、雄側係合片１３，２３を背側部５５の雌側係合片１４に係合させておむつ１０を仮に着用する。そして隙間なく身体にフィットして着用できた着用者、即ち雄側係合片１３，２３の間の切断が不要な体形の着用者の場合には、このまま（易切開線１５，２５を接続状態のまま）で着用が完了する。一方、雄側係合片１３，２３の互いの係合位置をずらしたい場合には、先端切り込み１９，２９の間の部分１１ｆを摘んで外側に引っ張り、易切開線１５，２５を切断する。このとき２本の易切開線１５，２５が同時に切断される。これにより雄側係合片１３，２３同士の拘束が緩和されて雄側係合片１３と雄側係合片２３をそれぞれ別々に引っ張って止着することが可能となるので、隙間を生じない様に雄側係合片１３及び／又は雄側係合片２３を付け直す。つまり当初の雄側係合片１３，２３の位置関係に拘束されずに、位置をずらす等して止着できるので、隙間を生じない様にできる。
【００３６】
この様に着用者の必要に応じて、易切開線１５，２５を切り開くか或いは切り開かずにそのままとして着用することができ、それぞれの着用者にとって良好な着用態様を実現でき、しかも上記の如く易切開線１５，２５の切断操作が容易である。
【００３７】
次に上記止着テープ１１並びに使い捨ておむつ１０の製造方法の一例について述べる。
【００３８】
図５は止着テープ１１の製造方法を説明する為の図であって、止着テープの製造ラインをその原料反の肌側から見た図である。
【００３９】
図５（ａ）に示す様に、まず長尺，広幅の熱可塑性樹脂製基材原料シート１１２上に、その幅方向のほぼ中央位置に雄側係合片原料細帯体１１３を接着剤１６で貼着する。また基材原料シート１１２の両端近傍にホットメルト接着剤１７を塗布し、背側部５５の両翼片５５ａ（おむつ本体）への取付側１１ａとする。次いでこの雄側係合片原料細帯体１１３を架け渡す様に蛇行した切断線１０１に沿ってカットし、左右に分割する。次いで図５（ｂ）に示す様に、雄側係合片１３，２３（雄側係合片原料細帯体１１３を個々にカットしたもの）を内側にして上記蛇行切断線１０１の根元あたりから折り畳む（矢印Ｄ）。次に図５（ｃ）に示す様に、上記左右に分かれた長尺の基材原料シート１１２それぞれについて、この基材原料シート１１２上の雄側係合片の間を１つおきに（出来上がりの１つの止着テープ１１の箇所における雄側係合片１３と雄側係合片２３の間に）、ヒートシール装置により加熱，加圧して、２本の実線状の脆弱化部分（易切開線１５，２５）を形成する。またドラム状カッターを用い、易切開線１５，２５に連続した先端切り込み１９，２９を形成する。その後、図５（ｄ）に示す様に幅方向の切断線１０２に沿ってカットして、２つの雄側係合片１３，２３を有する個々の止着テープ１１とする。
【００４０】
易切開線１５，２５は完全に切断されたものではないから、上記止着テープの製造ラインにおいて、完成品として個々の止着テープ１１に切断されるまでは、図５（ｃ）にＥで示す様に幅広くテンションを掛けることができ、製造過程において資材が安定して流れる。
【００４１】
その後、この得られた個別の止着テープ１１について、その取付側１１ａを背側部５５の両翼片５５ａにおけるサイドシート５７（或いはトップシート５３）とバックシート５２の間に挟み、上記止着テープ１１上に設けられた接着剤１７とバックシート５２上に設けられた接着剤１８とにより接着する（図２、図６：使い捨ておむつ１０の止着テープ１１付近を表す一部切り欠き平面図）。
【００４２】
この様に止着テープを完成品としてからおむつ本体に取り付けることにより、製造ラインのコンパクト化を図ることができる。
【００４３】
＜実施形態２＞
図７は本発明の実施形態２に係る止着テープ２１を示す肌面側からの平面図である。尚図４と同じ構成部分については同一の符号を付して重複説明を避ける。
【００４４】
実施形態２の止着テープ２１は、上記実施形態１の止着テープ１１における易切開線１５，２５で挟まれた領域に、補強材２２（補強材２２の材料としては、不織布、プラスチック製シート、紙等が挙げられる）を設けたものである。該補強材２２は止着テープ基材１２とは異なる色となっている。
【００４５】
易切開線１５，２５の間の部分は細い帯状であるが、上記補強材２２により丈夫になるので、先端切り込み間部分１１ｆから引っ張って易切開線１５，２５を切断する操作において、ちぎれることなく円滑に易切開線１５，２５の切断操作を行うことができる。また補強材２２は止着テープ基材１２とは色が違うので、先端切り込み間部分１１ｆの位置が視認し易い。
【００４６】
＜実施形態３＞
図８は本発明の実施形態３に係る止着テープ４１を示す肌面側からの平面図である。尚図４と同じ構成部分については同一の符号を付して重複説明を避ける。
【００４７】
実施形態３の止着テープ４１は、おむつ本体への取付側１１ａとは反対側１１ｂの端縁４１ｅが、上記実施形態１，２（山部分が２つ形作られ、ここにそれぞれ止着部（雄側係合片１３，２３）が形成されたもの）とは異なって、直線状となったものである。この様に止着テープの形状としては、様々な形状が可能である。
【００４８】
また上記実施形態１の止着テープ１１における易切開線１５，２５は、基材１２を薄くすることにより形成されたものであるが、実施形態３の止着テープ４１では、易切開線３５，４５として破線状の切れ目が形成されたものである。この様に切れ目を形成することにより、容易に切断できる様にしたものであっても良い。
【００４９】
＜実施形態４＞
図９は本発明の実施形態４に係る止着テープ３１を示す肌面側からの平面図である。尚図４と同じ構成部分については同一の符号を付して重複説明を避ける。
【００５０】
実施形態４の止着テープ３１は、先端切り込み４１，４２が端縁１１ｅから互いに離れる様に斜めに形成され、この先端切り込み４１，４２に連続して取付側１１ａ方向に向かう易切開線４３，４４がそれぞれ形成されている。そしてこの易切開線４３と易切開線４４の間に雄側係合片（補助止着部）４６が設けられている。尚この雄側係合片（補助止着部）４６は雄側係合片（着用止着部）１３，２３よりも取付側１１ａに位置している。
【００５１】
本実施形態４の着用にあたっては、雄側係合片（着用止着部）１３，２３の止着によりおむつを着用し、次いで雄側係合片（補助止着部）４６をその上から止着することで、易切開線４３，４４の根元あたりの浮きを押さえることができ、従っておむつを良好にフィットさせることができると共に、上記浮きによる引っ掛かりを防止できる。また雄側係合片４６の存在により、易切開線４３，４４の間の部分が丈夫になり、容易にちぎれることがなく、また先端切り込み間部分１１ｆの位置が分かり易い。
【００５２】
以上の様に、例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【００５３】
例えば上記実施形態１〜４では、１つの止着テープにつき止着部（雄側係合片）を２つ備えたものを示したが、３つ以上備えたものとしても良く、この場合において、それぞれの止着部の間毎に２本の易切開線を設けても良く、もしくは或る止着部間のみに２本の易切開線を設けて他の止着部間に易切開線を全く設けない様にしても良い。
【００５４】
また上記実施形態では止着テープの着用止着部や補助止着部として面ファスナーの雄側係合片を採用し、腹側部の雌側係合片と係脱自在に構成したものを挙げたが、これに限らず、例えば止着部として粘着テープを用い、腹側部の外側面にこれを着脱可能なターゲットテープを設けた構成としても良い。
【図面の簡単な説明】
【００５５】
【図１】本発明の実施形態１に係る使い捨ておむつを表す展開状態の平面図である。
【図２】図１に示すＸ−Ｘ線断面図である。
【図３】実施形態１の使い捨ておむつを着用した形態を表す斜視図である。
【図４】実施形態１の使い捨ておむつにおける止着テープを表す肌面側からの平面図である。
【図５】実施形態１の止着テープの製造方法を説明する為の図である。
【図６】実施形態１の使い捨ておむつの止着テープ付近を表す一部切り欠き平面図である。
【図７】本発明の実施形態２に係る止着テープを示す肌面側からの平面図である。
【図８】本発明の実施形態３に係る止着テープを示す肌面側からの平面図である。
【図９】本発明の実施形態４に係る止着テープを示す肌面側からの平面図である。
【符号の説明】
【００５６】
１０  使い捨ておむつ
１１，２１，３１，４１  止着テープ
１１ａ  取付側
１１ｂ  反対側
１１ｅ，４１ｅ  反対側端縁
１１ｆ  先端切り込み間部分
１２  止着テープ基材
１３，２３  雄側係合片（着用止着部）
１４  雌側係合片
１５，２５，３５，４３，４４，４５  易切開線
１９，２９，４１，４２  先端切り込み
２２  補強材
４６  雄側係合片（補助止着部）
【図１】
2006247180.tif 000003
【図２】
2006247180.tif 000004
【図３】
2006247180.tif 000005
【図４】
2006247180.tif 000006
【図５】
2006247180.tif 000007
【図６】
2006247180.tif 000008
【図７】
2006247180.tif 000009
【図８】
2006247180.tif 000010
【図９】
2006247180.tif 000011